(57)【要約】【課題】使用者自身で転写防止部分を設定したノーカーボン紙を用いた冊子を精度良く且つ容易に作成すること。【解決手段】入力装置１１４により、複数枚の用紙の表面に対応するように構成された文書データ（帳票）内の領域を第１の領域（転写防止枠の領域）として指定すると、ＣＰＵ１０１が、該指定された第１の領域に対応する用紙の１枚前の用紙の裏面における、前記第１の領域に対応する位置を第２の領域（塗りつぶし領域）として算出し、該算出された第２の領域を、前記文書データの印刷時に塗りつぶされる領域に設定制御する構成を特徴とする。【選択図】図１
2008052388.tif 000002
【特許請求の範囲】
【請求項１】
複数枚の用紙の表面に対応するように構成された文書データ内の領域を第１の領域として指定する指定手段と、
前記指定手段により指定された第１の領域に対応する用紙の１枚前の用紙の裏面における、前記第１の領域に対応する位置を第２の領域として算出し、該算出された第２の領域を、前記文書データの印刷時に塗りつぶされる領域に設定制御する制御手段と、
を有することを特徴とする文書作成装置。
【請求項２】
前記制御手段は、指定される前記用紙の一辺を軸として、前記第１の領域と対称となる、前記１枚前の用紙の裏面の領域を、前記第２の領域として算出することを特徴とする請求項１記載の文書作成装置。
【請求項３】
前記制御手段は、前記指定手段により指定された第１の領域を、前記文書データの印刷時に塗りつぶされる領域に設定制御することを特徴とする請求項１又は２に記載の文書作成装置。
【請求項４】
前記制御手段は、前記第２の領域を前記文書データの印刷時に塗りつぶされる領域に設定した後、前記文書データを印刷装置により両面印刷制御することを特徴とする請求項１乃至３のいずれか１項に記載の文書作成装置。
【請求項５】
前記制御手段は、前記第２の領域の塗りつぶしに対応する用紙については両面印刷し、前記第２の領域の塗りつぶしに対応しない用紙については片面印刷するように制御することを特徴とする請求項１乃至３のいずれか１項に記載の文書作成装置。
【請求項６】
前記指定手段は、前記文書データ内に１又は複数の枠を指定し、該指定したいずれか１又は複数の枠を前記第１の領域として指定することを特徴とする請求項１乃至５のいずれか１項に記載の文書作成装置。
【請求項７】
前記複数枚の用紙は、異なるサイズの用紙，異なる向きの用紙で構成可能なことを特徴とする請求項１乃至６のいずれか１項に記載の文書作成装置。
【請求項８】
前記複数枚の用紙は、ノーカーボン感圧複写紙であることを特徴とする請求項１乃至７のいずれか１項に記載の文書作成装置。
【請求項９】
複数枚の用紙の表面に対応するように構成された文書データ内の領域を第１の領域として指定する指定ステップと、
前記指定ステップで指定された第１の領域に対応する用紙の１枚前の用紙の裏面における、前記第１の領域に対応する位置を第２の領域として算出し、該算出された第２の領域を、前記文書データの印刷時に塗りつぶされる領域に設定制御する制御ステップと、
を有することを特徴とする文書作成方法。
【請求項１０】
請求項１乃至８のいずれか１項に記載された文書作成装置をコンピュータに実現させるプログラム、又は、請求項９に記載された文書作成方法をコンピュータに実行させるためのプログラム。
【請求項１１】
請求項１乃至８のいずれか１項に記載された文書作成装置をコンピュータに実現させるプログラム、又は、請求項９に記載された文書作成方法をコンピュータに実行させるためのプログラムをコンピュータが読み取り可能に記憶した記録媒体。
【発明の詳細な説明】
【技術分野】
【０００１】
本発明は、使用者自身で転写防止部分を設定したノーカーボン紙を用いた冊子を作成する際の制御に関する。
【背景技術】
【０００２】
特許文献１（特開２００１−２９４７８７号公報）には、発色性が優れ、印刷適正の極めて良好な顕色インキを用いたノーカーボン感圧複写紙が提案されている。
【０００３】
このノーカーボン紙を用いた冊子の作成を業者に依頼するとコスト高となってしまうため、最近ではコスト削減のため、冊子のフォーマットを利用者がデータで所持し、必要なときに必要な量だけ白紙のノーカーボン紙に印刷する方法が行われるようになってきた。
【０００４】
しかし、このノーカーボン紙には全面に加工が施されているため、このノーカーボン紙を使用して、冊子を製作する際、前者の特性により、記入した箇所には全て記入した文字が転写される。このため、転写防止部分がある場合は、ノーカーボン紙の加工が必要であった。
【０００５】
そこで従来では、利用者は、この転写防止部分を目測し、該目測したノーカーボン紙の転写防止部分を、印刷装置を使ってインクで塗りつぶしていた。
【特許文献１】特開２００１−２９４７８７号公報
【発明の開示】
【発明が解決しようとする課題】
【０００６】
しかし、上記従来の方法では、転写防止部分の目測と設定が全て手作業により行われていたため、作業時間がかかるばかりでなく、正確に塗りつぶし位置を確定することが困難であった。このため、転写を防止したい部分と、実際に塗りつぶした部分とに位置ズレが生じ、精度が悪くなっていた。
【０００７】
この結果、転写を防止したい部分への記入が、誤って下の用紙に転写されてしまうといった不都合が発生していた。
【０００８】
本発明は、上記の問題点を解決するためになされたもので、本発明の目的は、複数枚のノーカーボン紙を重ね冊子として使用する際に、冊子の２枚目以降の、ノーカーボン紙の表面の転写防止部分を塗料で正確に塗りつぶし、また１枚前のノーカーボン紙の裏面の（綴じ代位置を軸とした）対称箇所を塗料で精度良くに塗りつぶすことができ、ノーカーボン紙の表面の転写防止部分に塗ってある顕色剤と、１枚前のノーカーボン紙の裏面の前記転写防止部分と重なる個所に付加されているカプセル（発色剤）の化学反応を確実に防ぐことができ、確実に発色させなくすることが自動で可能になり、使用者自身で転写防止部分を設定したノーカーボン紙を用紙に作成することができる仕組を提供することである。
【課題を解決するための手段】
【０００９】
本発明は、複数枚の用紙の表面に対応するように構成された文書データ内の領域を第１の領域として指定する指定手段と、前記指定手段により指定された第１の領域に対応する用紙の１枚前の用紙の裏面における、前記第１の領域に対応する位置を第２の領域として算出し、該算出された第２の領域を、前記文書データの印刷時に塗りつぶされる領域に設定制御する制御手段と、を有することを特徴とする。
【発明の効果】
【００１０】
本発明によれば、複数枚のノーカーボン紙を重ね冊子として使用する際に、冊子の２枚目以降の、ノーカーボン紙の表面の転写防止部分（第１の領域）を塗料で正確に塗りつぶし、また１枚前のノーカーボン紙の裏面の（綴じ代位置を軸とした）対称箇所（第２の領域）を塗料で精度良く塗りつぶすことができる。
【００１１】
よって、ノーカーボン紙の表面の転写防止部分に塗ってある顕色剤と、１枚前のノーカーボン紙の裏面の前記転写防止部分と重なる個所に付加されているカプセル（発色剤）の化学反応を確実に防ぐことができ、確実に発色させなくすることが可能になり、使用者自身で転写防止部分を設定したノーカーボン紙を用紙に容易に作成することができる。
【００１２】
従って、従来、手作業で塗布する部分を指定して印刷していたものを、本発明により自動化することで、精度が上がるばかりでなく、作業工程が少なくなり、作業時間も短縮可能である。
【００１３】
さらに、本発明は、既存のコンピュータと印刷装置に本発明の文書作成装置を実現するためのプログラム（ソフトウェア）を搭載するだけで実行可能なため、導入コストも抑えることができる。
【００１４】
また、ユーザが自由に転写防止範囲としての第１の領域を指定できるため、容易に文書のフォーマットを変更することが可能となり、運用コストも抑えることが期待できる。
【発明を実施するための最良の形態】
【００１５】
〔第１実施形態〕
図１は、本発明の一実施形態を示す文書作成装置の構成の一例を示すブロック図である。
【００１６】
図１において、１００は文書作成装置であり、具体的にはパーソナルコンピュータやワークステーション等の情報処理装置で構成される。
【００１７】
文書作成装置１００において、１０１はＣＰＵであり、外部メモリ１１０又はＲＯＭ１０９に格納されるプログラムを読み出して実行することにより、各種機能を実現する。
【００１８】
このＣＰＵ１０１が実現する機能には、入力制御部１０１−１，プログラム処理部１０１−２，フォーマット印刷領域制御部１０１−３，転写防止領域制御部１０１−４，印刷・用紙制御部１０１−５，画面表示制御部１０１−６，印刷装置制御部１０１−７がある。
【００１９】
１０８はＲＡＭであり、ＣＰＵ１０１の作業領域として使用される。外部メモリ１１０は、ハードディスク等であり、ＣＰＵ１０１が実行するプログラムや各種データを記憶する。なお、この外部メモリ１１０には、後述する冊子情報テーブル，枠情報テーブル等を記憶するデータベース（ＤＢ）１１１が構築されている。
【００２０】
１１４は入力装置であり、キーボードやポインティングデバイス（マウス等）に対応する。この入力装置１１４による入力処理は、入力制御部１０１−１により制御される。
【００２１】
１１３は表示装置であり、ＬＣＤやＣＲＴ等のディスプレイに対応する。この表示装置１１３による画面表示処理は、画面表示制御部１０１−６により制御される。
【００２２】
１１２は外部Ｉ／Ｆ、例えば、ネットワークＩ／Ｆ，ＵＳＢＩ／Ｆ，セントロニクスＩ／Ｆ，パラレルＩ／Ｆ等であり、所定の通信媒体（ネットワーク，ＵＳＢケーブル，セントロニクスケーブル，パラレルケーブル）を会して印刷装置２００と通信可能に接続されている。
【００２３】
印刷装置２００は、ノンカーボン感圧複写紙への両面印刷が可能な印刷装置である。なお、印刷装置２００による印刷処理は、印刷装置制御部１０１−７により制御される。
【００２４】
以下、図２〜図１３を参照して、本発明の文書作成装置における帳票作成の一連の処理について説明する。なお、以後、帳票とは、各種形式の文書全てを含むものとする。
【００２５】
図２は、本発明における第１の制御処理手順の一例を示すフローチャートであり、図１に示した文書作成装置１００における帳票作成の一連の流れに対応する。なお、このフローチャートの処理は、図１に示したプログラム処理部１０１−２（ＣＰＵ１０１）が外部メモリ１１０に格納されたプログラムをＲＡＭ１０８上で実行することにより実現される。なお、図中、Ｓ２０１〜Ｓ２０４は各ステップを示す。
【００２６】
まず、ステップＳ２０１において、プログラム処理部１０１−２は、帳票を作成する際の初期設定処理を実行する。なお、この初期設定処理の詳細は、後述する図３に示す。
【００２７】
次に、ステップＳ２０２において、プログラム処理部１０１−２は、帳票の作成処理を実行する。なお、この帳票の作成処理の詳細は、後述する図６に示す。また、帳票の作成処理が終了している場合には、ステップＳ２０１，Ｓ２０２の代わりに作成済みの帳票を指定して、ステップＳ２０３から処理を開始することが可能となる。
【００２８】
次に、ステップＳ２０３において、プログラム処理部１０１−２は、転写防止設定処理を実行する。なお、この転写防止設定処理の詳細は、後述する図９に示す。また、転写防止設定処理が終了している場合には、ステップＳ２０１〜Ｓ２０３の代わりに作成済みの帳票を指定して、ステップＳ２０４から処理を開始することが可能となる。
【００２９】
次に、ステップＳ２０４において、プログラム処理部１０１−２は、印刷処理を実行する。なお、この印刷処理の詳細は、後述する図１１に示す。
【００３０】
図３は、本発明における第２の制御処理手順の一例を示すフローチャートであり、図２のステップＳ２０１に示した初期設定処理に対応する。なお、このフローチャートの処理は、図１に示したプログラム処理部１０１−２（ＣＰＵ１０１）が外部メモリ１１０に格納されたプログラムをＲＡＭ１０８上で実行することにより実現される。なお、図中、Ｓ３０１〜Ｓ３０３は各ステップを示す。
【００３１】
まず、ステップＳ３０１において、プログラム処理部１０１−２は、初期設定画面（図４）を画面表示制御部１０１−６を介して表示装置１１３に表示させる。
【００３２】
そして、ステップＳ３０２において、プログラム処理部１０１−２は、入力装置１１４による初期設定画面への入力を受け付ける。
【００３３】
図４は、本実施形態における初期設定画面の一例を示す模式図である。
【００３４】
図４において、１１０７はタイトル指定エリアであり、入力装置１１４により作成する文書のタイトルを指定可能である。１１０１は枚数指定エリアであり、入力装置１１４により作成する文書の合計枚数を指定可能である。
【００３５】
１１０２は綴じ代指定エリアであり、入力装置１１４により作成する文書の綴じ代の位置（用紙基準位置）を指定可能である。なお、図４では、綴じ代位置（用紙基準位置）として「右」，「左」を選択する構成となっているが、他の位置（例えば「上」，「下」）も選択可能に構成してもよい。
【００３６】
１１０３はサイズ指定エリアであり、入力装置１１４により作成する文書の用紙サイズを指定可能である。１１０４は用紙方向指定エリアであり、入力装置１１４により作成する文書の用紙の向きを指定可能である。
【００３７】
１１０６は「キャンセル」ボタンであり、このボタンが入力装置１１４により押下（クリック）指示されると、初期設定画面はキャンセルされプログラム処理部１０１−２は、図３及び図２のフローチャートの処理を終了する。
【００３８】
１１０５は「ＯＫ」ボタンであり、このボタンを入力装置１１４により押下（クリック）指示されると、初期設定画面による設定が決定され、プログラム処理部１０１−２は、ステップＳ３０３に処理を進める。
【００３９】
以下、図３のフローチャートの説明に戻る。
【００４０】
なお、ステップＳ３０２では、プログラム処理部１０１−２は、「ＯＫ」ボタン１１０５が指示されると、初期設定画面で入力した合計枚数、綴じ代位置（用紙基準位置）、用紙サイズ、紙の向きを冊子情報として取得し、ＲＡＭ１０８内に格納する。
【００４１】
次に、ステップＳ３０３において、プログラム処理部１０１−２は、取得した冊子情報を、外部メモリ１１０にあるデータベース１１１に図５に示すように格納する。この際、プログラム処理部１０１−２は、ユニークな冊子ＩＤを付加してＤＢ１１１に格納する。そして、プログラム処理部１０１−２は、図２のフローチャートに処理を戻す。
【００４２】
図５は、図３のステップＳ３０３でＤＢ１１１に格納される冊子情報テーブルの一例を示す模式図である。
【００４３】
図５に示す冊子情報テーブルにおいて、１３０１は冊子ＩＤであり、上述の冊子ＩＤが格納される。１３０２は冊子タイトルであり、図４に示したタイトル入力エリア１１０７で入力された冊子のタイトルが格納される。
【００４４】
１３０３は冊子の枚数であり、図４に示した枚数指定エリア１１０１で入力された作成する文書の合計枚数が格納される。１３０４は綴じ代位置（用紙基準位置）であり、図４に示した１１０２は綴じ代指定エリアで入力された文書の綴じ代の位置（用紙基準位置）が格納される。
【００４５】
１３０５は用紙サイズであり、図４に示したサイズ指定エリア１１０３で入力された用紙サイズが格納される。１３０６は用紙向きであり、図４に示した用紙方向指定エリア１１０４で入力された用紙方向が格納される。
【００４６】
図６は、本発明における第３の制御処理手順の一例を示すフローチャートであり、図２のステップＳ２０２に示した帳票の作成処理に対応する。なお、このフローチャートの処理は、図１に示したプログラム処理部１０１−２（ＣＰＵ１０１）が外部メモリ１１０に格納されたプログラムをＲＡＭ１０８上で実行することにより実現される。なお、図中、Ｓ４０１〜Ｓ４０３は各ステップを示す。
【００４７】
まず、ステップＳ４０１において、プログラム処理部１０１−２は、図３のステップＳ３０３でＤＢ１１１に格納した冊子情報に基づいてフォーマット作成画面（不図示）を生成し、画面表示制御部１０１−６を介して表示装置１１３に表示させ、ステップＳ４０２に処理を進める。
【００４８】
ステップＳ４０２では、プログラム処理部１０１−２は、入力装置１１４によりフォーマット作成画面から入力される帳票データの設計情報を受け付ける。なお、この帳票データの設計情報には、転写防止指定可能な枠の情報（枠を示す領域，枠の名称等）も含まれるものとする。そして、入力装置１１４により帳票データの作成終了が指示されると、プログラム処理部１０１−２は、ステップＳ４０３に処理を進める。なお、この時、ステップＳ４０２で設計された帳票データは、冊子ＩＤに紐付けられて外部メモリ１１０に格納されるものとする。
【００４９】
図７は、図６のステップＳ４０２で作成される帳票データの一例を示す模式図である。
【００５０】
図７（ａ）〜（ｃ）に示すように、この帳票データは３枚の用紙により構成されている。本実施形態では用紙サイズ、紙の向きが統一されている。そして、この帳票データ上には、枠１〜枠３等が定義されているものとする。なお、以後、この帳票データを例にして実施形態を説明する。
【００５１】
なお、図６のステップＳ４０２で作成される帳票データは、上述のように複数枚の用紙の表面に対応するように構成された文書データである。
【００５２】
以下、図６のフローチャートの説明に戻る。
【００５３】
ステップＳ４０３では、プログラム処理部１０１−２は、転写防止領域制御部１０１−４を介してＤＢ１１１に転写防止指定可能領域枠の情報を図８に示すように格納する。この際、転写防止領域制御部１０１−４は、枠毎にユニークな枠ＩＤを付加してＤＢ１１１に格納する。そして、プログラム処理部１０１−２は、図２のフローチャートに処理を戻す。
【００５４】
図８は、図６のステップＳ４０３でＤＢ１１１に格納される枠情報テーブルの一例を示す模式図である。
【００５５】
図８の枠情報テーブルにおいて、１４０１は枠ＩＤであり、上述の枠ＩＤが格納される。１４０２は枠タイトルであり、図６のステップＳ４０２で定義された枠の名称を格納する。
【００５６】
１４０３は領域であり、図６のステップＳ４０２で定義された枠の領域（左上、右下）を示す座標を格納する。１４０４は転写防止用紙Ｎｏであり、図２のＳ２０３の転写防止設定（後述する図９）で指定される転写防止を希望する枠が何枚目の用紙となるかを示す情報が格納される。即ち、図４のＳ４０３が終了した時点では何も格納されていない。
【００５７】
１４０５は冊子ＩＤであり、対応する冊子情報の冊子ＩＤ（図５の冊子情報テーブルの冊子ＩＤ１３０１）を示す情報が格納される。
【００５８】
図９は、本発明における第４の制御処理手順の一例を示すフローチャートであり、図２のステップＳ２０３に示した転写防止設定処理に対応する。なお、このフローチャートの処理は、図１に示したプログラム処理部１０１−２（ＣＰＵ１０１）が外部メモリ１１０に格納されたプログラムをＲＡＭ１０８上で実行することにより実現される。なお、図中、Ｓ５０１〜Ｓ５０５は各ステップを示す。
【００５９】
まず、ステップＳ５０１において、プログラム処理部１０１−２は、入力装置１１４によりフォーマット作成画面から入力される転写防止を希望する枠の指定を受け付ける。ここで、ユーザはフォーマット作成画面を見ながら転写防止を希望する枠を入力装置１１４により指定する。なお、ユーザは自分の意志で転写防止枠以外の部分にも転写防止の領域を設けることができる。
【００６０】
そして、プログラム処理部１０１−２が、入力装置１１４より転写防止を希望する枠が指定されたと判定した場合には、ステップＳ５０２に処理を進める。
【００６１】
図１０は、図９のステップＳ５０１における転写防止を希望する枠の指定の一例を示す模式図である。なお、帳票データの例として図７（ａ）〜（ｃ）に示したものを用いる。
【００６２】
図１０（ａ）〜（ｃ）に示すように、ここでは、２枚目の枠４が転写防止を希望する枠に指定されている。
【００６３】
以下、図９のフローチャートの説明に戻る。
【００６４】
ステップＳ５０２では、プログラム処理部１０１−２は、ステップＳ５０１でユーザにより指定された枠が帳票データの２枚目以降の枠か判定する。
【００６５】
そして、ステップＳ５０１でユーザにより指定された枠が帳票データの２枚目以降の枠でない（１枚目の枠である）と判定した場合には、プログラム処理部１０１−２は、ステップＳ５０１に処理を戻し、再度枠の指定を行わせる。
【００６６】
一方、ステップＳ５０１でユーザにより指定された枠が帳票データの２枚目以降の枠であると判定した場合には、プログラム処理部１０１−２は、ステップＳ５０３に処理を進める。
【００６７】
ステップＳ５０３では、プログラム処理部１０１−２は、ユーザが指定した枠の領域情報をＤＢ１１１内の枠情報テーブルから取得する。
【００６８】
次に、ステップＳ５０４において、プログラム処理部１０１−２は、転写防止領域制御部１０１−４により、ユーザが指定した用紙（枚目）における指定した枠の領域情報を転写防止枠と決定し、該決定した転写防止枠内の領域を塗りつぶし領域（塗布エリア）としてＲＡＭ１０８上の帳票データに設定させる。
【００６９】
ステップＳ５０５では、プログラム処理部１０１−２は、ステップＳ５０４での転写防止枠の決定に基づいて、ＤＢ１１１内の枠情報テーブルを更新する。詳細には、枠情報テーブル内の指定された枠に対応する転写防止用紙Ｎｏ１４０４欄に、指定された用紙が何枚目であるかを示す情報を格納する。
【００７０】
図１０に示した例では、冊子ＩＤ０１の「２」枚目の用紙の「枠４」を転写防止枠に指定しているので、図８に示すように、枠情報テーブルの枠ＩＤ２０４の転写防止用紙Ｎｏ１４０４に「２」を格納するように、枠情報テーブルを更新する。
【００７１】
そして、ステップＳ５０５の更新処理が終了すると、プログラム処理部１０１−２は、ステップＳ５０１に処理を戻し、再度、転写防止を希望する枠の指定を促す。
【００７２】
なお、図１０に示した例では、２枚目の枠４のみが転写防止を希望する枠に指定されているが、最終的に複数の枠が転写防止を希望する枠に指定されていてもよい。
【００７３】
そして、ステップＳ５０１で、プログラム処理部１０１−２が、入力装置１１４より転写防止を希望する枠が指定されず、指定処理が完了されたと判定した場合には、そのまま本フローチャートを終了し、図２のフローチャートに処理を戻す。
【００７４】
図１１は、本発明における第５の制御処理手順の一例を示すフローチャートであり、図２のステップＳ２０４に示した印刷処理に対応する。なお、このフローチャートの処理は、図１に示したプログラム処理部１０１−２（ＣＰＵ１０１）が外部メモリ１１０に格納されたプログラムをＲＡＭ１０８上で実行することにより実現される。なお、図中、Ｓ６０１〜Ｓ６０５は各ステップを示す。
【００７５】
まず、ステップＳ６０１において、プログラム処理部１０１−２は、外部メモリ１１０にあるＤＢ１１１内の枠情報テーブル（図８）から枠情報をＲＡＭ１０８に読み込む。
【００７６】
次に、ステップ６０２において、プログラム処理部１０１−２は、ステップＳ６０１で読み出した枠情報に転写防止用紙Ｎｏが設定されているかどうか判定する。
【００７７】
そして、枠情報に転写防止用紙Ｎｏが設定されていないと判定した場合には、プログラム処理部１０１−２は、ステップＳ６０５に処理を進める。
【００７８】
一方、ステップＳ６０２で、ステップＳ６０１で読み出した枠情報に転写防止用紙Ｎｏが設定されていると判定した場合には、プログラム処理部１０１−２は、ステップＳ６０３に処理を進める。
【００７９】
ステップＳ６０３では、プログラム処理部１０１−２は、図２のステップＳ２０２で作成された帳票の各用紙の裏面に白紙ページを挿入するように帳票データをＲＡＭ１０８上で編集する。
【００８０】
次に、ステップ６０４において、プログラム処理部１０１−２は、フォーマット印刷領域制御部１０１−３により、綴じ代の位置（用紙基準位置）を軸として、枠情報に設定されている転写防止枠の領域（転写防止領域）と対称となる転写防止用紙の前の用紙の裏面のエリア（領域）を算出し、該算出した領域を塗りつぶしエリア（領域）を塗りつぶし領域（塗布エリア）としてＲＡＭ１０８上の帳票データに設定させる。そして、プログラム処理部１０１−２は、ステップＳ６０５に処理を進める。
【００８１】
図１２は、図１１のステップＳ６０４で設定された塗りつぶしエリアの一例を示す模式図である。なお、帳票データの例として図７（ａ）〜（ｃ），図１０（ａ）〜（ｃ）に示したものを用いる。
【００８２】
図１２（ａ）〜（ｃ）に示すように、ここでは、「２」枚目の「枠４」が転写防止枠（転写防止領域）に指定されているので、用紙基準位置（綴じ代「左」）を軸として、該転写防止領域と対称となる「１」枚目の裏面の領域を、塗りつぶし領域に設定する。なお、この領域の計算方法を図１３に示す。
【００８３】
図１３は、転写防止枠を指定した用紙の前の用紙の裏面にあたる転写防止枠と対称となる領域の算出方法の一例を示す模式図である。
【００８４】
図１３において、１５０１は転写防止を指定した用紙（転写防止用紙、ここでは２枚目）の表面を示す。また、１５０２は転写防止枠（転写防止領域）を示し、この座標（左上，右下）を（（ｘ１，ｙ１），（ｘ２，ｙ２））とする。
【００８５】
１５０３は転写防止用紙１５０１の前の用紙（ここでは１枚目）の裏面を示す。
【００８６】
そして、前の用紙の用紙横幅を「Ｐｗ」とすると、用紙基準位置（綴じ代の位置）を軸として、転写防止領域１５０２と対象となる領域１５０４の左上座標は(Ｐｗ−ｘ２，ｙ１)、右下座標は(Ｐｗ−ｘ１，ｙ２)のように計算される。
【００８７】
なお、用紙基準位置（綴じ代の位置）が「上」又は「下」の場合には、前の用紙の用紙縦幅を「Ｐｈ」とすると、転写防止領域と対象となる領域の左上座標は(ｘ１，Ｐｈ−ｙ２)、右下座標は(ｘ２，Ｐｈ−ｙ１)のように算出される。
【００８８】
以下、図１１のフローチャートの説明に戻る。
【００８９】
次に、ステップＳ６０５では、プログラム処理部１０１−２は、フォーマット印刷領域制御部１０１−３、印刷・用紙制御部１０１−５、及び印刷装置制御部１０１−７を用いて、ＲＡＭ１０８上で編集された帳票データの印刷処理を、印刷装置２００で実行させる。なお、この際、印刷・用紙制御部１０１−５は、冊子情報テーブル内の情報に基づいて、印刷時の用紙サイズ、用紙の向き、綴じ代位置等を制御し、さらに両面印刷させる。これにより、図１２（ａ）〜（ｄ）に示したように、帳票の印刷が実行される。
【００９０】
なお、この印刷処理は、印刷装置２００にセットされたノンカーボン感圧複写紙への印刷処理とする。
【００９１】
以上示したように、複数枚のノーカーボン紙を重ね冊子として使用する際に、冊子の２枚目以降の、ノーカーボン紙の表面の転写防止部分を減感インキまたは通常のインクなどで塗りつぶし、また１枚前のノーカーボン紙の裏面の対称箇所を減感インキまたは通常のインクなどで塗りつぶすことにより、ノーカーボン紙の表面の転写防止部分に塗ってある顕色剤と、１枚前のノーカーボン紙の裏面の前記転写防止部分と重なる個所に付加されているカプセル（発色剤）の化学反応を防ぐことができ、発色させなくすることが自動で可能になる。
【００９２】
このような、ノーカーボン紙のフォーマットを作成するソフトウェアにより、塗布される部分の指定が自動で行われ、従来のように手作業で塗布する部分を指定し印刷していたものを、ソフトウェアにより位置指定を自動化することで塗布位置の精度を上げ、塗布位置の誤差を小さくすることができる。
【００９３】
また、手動から自動になることにより、作業工程が少なくなり、作業時間短縮も可能となる。
【００９４】
さらに、既存のパーソナルコンピュータ（ＰＣ）と印刷装置さえあれば、本発明のソフトウェアを搭載するだけで実行可能になることにより、導入コストも抑えることができる。
【００９５】
また、ユーザが自由に転写防止範囲を指定できるため、容易にフォーマットを変更することが可能なため、更なるコスト削減が期待できる。
【００９６】
従って、ユーザ自身が転写防止部分を設定したノーカーボン紙を用いた文書（帳票）を容易に作成することができる等の効果を奏する。
【００９７】
なお、上記第１実施形態では、全ての用紙を両面印刷させる構成について説明したが、裏面に塗りつぶし領域が設定されている用紙のみ両面印刷させるように構成してもよい。
【００９８】
〔第２実施形態〕
上記第１実施形態では、帳票（冊子）の用紙設定を１冊子毎に設定する構成について説明した。即ち、第１実施形態では、帳票（冊子）内の用紙設定は全て同じとなる。しかし、帳票（冊子）の用紙設定を用紙毎に設定可能に構成してもよい。以下、この実施形態について説明する。
【００９９】
なお、文書作成装置のハードウェア構成及び帳票作成における一連の流れは上記第１実施形態の構成と同様である。
【０１００】
以下、図１４〜図２２を参照して、本実施形態における初期設定処理、印刷処理について説明する。
【０１０１】
図１４は、本発明における第６の制御処理手順の一例を示すフローチャートであり、本発明の第２実施形態における図２のステップＳ２０１に示した初期設定処理に対応する。なお、このフローチャートの処理は、図１に示したプログラム処理部１０１−２（ＣＰＵ１０１）が外部メモリ１１０に格納されたプログラムをＲＡＭ１０８上で実行することにより実現される。なお、図中、Ｓ１６０１〜Ｓ１６０５は各ステップを示す。
【０１０２】
まず、ステップＳ１６０１において、プログラム処理部１０１−２は、初期設定画面（図１５）を画面表示制御部１０１−６を介して表示装置１１３に表示させる。
【０１０３】
そして、ステップＳ１６０２において、プログラム処理部１０１−２は、入力装置１１４による初期設定画面への入力を受け付ける。
【０１０４】
図１５は、本実施形態における初期設定画面の一例を示す模式図であり、図４と同一のものには同一の符号を付してある。
【０１０５】
図１５において、１１０６は用紙ごとに用紙サイズ・紙の向きを変更するための「部分指定」ボタンであり、このボタンが入力装置１１４により押下（クリック）指示されると、プログラム処理部１０１−２は、ステップＳ１６０２に処理を進める。そして、図１７に示す部分設定画面に画面が遷移される。
【０１０６】
以下、図１４のフローチャートの説明に戻る。
【０１０７】
なお、ステップＳ１６０２では、プログラム処理部１０１−２は、「ＯＫ」ボタン１１０５又は「部分設定」ボタン１１０８が指示されると、初期設定画面で入力した合計枚数、綴じ代位置（用紙基準位置）、用紙サイズ、紙の向きを冊子情報として取得し、ＲＡＭ１０８内に格納する。
【０１０８】
次に、ステップＳ１６０３において、プログラム処理部１０１−２は、ユーザから入力装置１１４により「部分指定」ボタン１６０３が選択されたか否かを判定し、選択されていないと判定した場合には、そのままステップＳ１６０５に処理を進める。
【０１０９】
一方、ステップＳ１６０３で、ユーザから入力装置１１４により「部分指定」ボタン１６０３が選択されたと判定した場合には、プログラム処理部１０１−２は、ステップＳ１６０４に処理を進める。
【０１１０】
ステップＳ１６０４では、プログラム処理部１０１−２は、用紙ごとに用紙サイズ・紙の向きを変更可能な部分指定設定処理（図１６）を実行する。
【０１１１】
ここで、図１６を参照して、ステップＳ１６０４の部分指定設定処理について説明する。
【０１１２】
図１６は、本発明における第７の制御処理手順の一例を示すフローチャートであり、図１４のステップＳ１６０４に示した部分指定設定処理に対応する。なお、このフローチャートの処理は、図１に示したプログラム処理部１０１−２（ＣＰＵ１０１）が外部メモリ１１０に格納されたプログラムをＲＡＭ１０８上で実行することにより実現される。なお、図中、Ｓ１７０１〜Ｓ１７０３は各ステップを示す。
【０１１３】
まず、ステップＳ１７０１において、プログラム処理部１０１−２は、部分制定画面（図１７）を画面表示制御部１０１−６を介して表示装置１１３に表示させる。
【０１１４】
そして、ステップＳ１７０２において、入力装置１１４による部分設定画面への入力を受け付ける。
【０１１５】
図１７は、本実施形態における部分設定画面の一例を示す模式図である。
【０１１６】
図１７において、１２０１は用紙サイズ設定エリア、１２０２は用紙方向設定エリアであり、用紙毎に用紙サイズ，用紙方向を設定可能である。なお、この用紙サイズ設定エリア１２０１，用紙方向設定エリア１２０２は、図１５の初期設定画面の枚数指定エリア１１０７で指定された枚数だけ表示されるものである。
【０１１７】
１２０４は「キャンセル」ボタンであり、このボタンが入力装置１１４により押下（クリック）指示されると、部分設定画面はキャンセルされプログラム処理部１０１−２は、図１４のステップＳ１６０５に処理を進める。
【０１１８】
１２０３は「ＯＫ」ボタンであり、このボタンを入力装置１１４により押下（クリック）指示されると、部分設定画面による設定が決定され、プログラム処理部１０１−２は、ステップＳ１７０３に処理を進める。
【０１１９】
次に、ステップＳ１７０３では、プログラム処理部１０１−２は、部分設定画面で変更入力した用紙Ｎｏ毎の用紙サイズ，用紙の向きを用紙情報として取得し、ＲＡＭ１０８内に格納する。そして、図１４のフローチャートに処理を戻す。
【０１２０】
以下、図１４のフローチャートの説明に戻る。
【０１２１】
図１４のステップＳ１６０５では、プログラム処理部１０１−２は、ステップＳ１６０２で取得した冊子情報とステップＳ１６０４で設定された用紙情報を、外部メモリ１１０にあるデータベース１１１に図１８，図１９に示すように格納する。この際、プログラム処理部１０１−２は、冊子情報に対しては冊子毎のユニークな冊子ＩＤ、用紙情報に対しては用紙毎のユニークな用紙ＩＤを付加してＤＢ１１１に格納する。そして、プログラム処理部１０１−２は、図２のフローチャートに処理を戻す。
【０１２２】
図１８は、図１４のステップＳ１６０５でＤＢ１１１に格納される冊子情報テーブルの一例を示す模式図であり、図５と同一のものには同一の符号を付してある。
【０１２３】
図１８に示すように、本実施形態の冊子情報テーブルは、冊子ＩＤ１３０１，冊子タイトル１３０２，用紙枚数１３０３，綴じ代位置１３０４から構成される。
【０１２４】
図１９は、図１４のステップＳ１６０５でＤＢ１１１に格納される冊子情報テーブルの一例を示す模式図である。
【０１２５】
図１９に示す用紙情報テーブルにおいて、２００１は用紙ＩＤであり、上述の用紙ＩＤが格納される。２００２は冊子ＩＤであり、対応する冊子情報の冊子ＩＤ（図１８の冊子情報テーブルの冊子ＩＤ１３０１）を示す情報が格納される。
【０１２６】
２００３は用紙Ｎｏであり、何枚目の用紙であるかを示す情報が格納される。２００４は用紙サイズ、２００５は用紙向きであり、用紙Ｎｏに対応する用紙サイズ，用紙向きが格納される。２００６は印刷設定であり、「片面」印刷，「両面」印刷を示す情報が格納される。なお、図１４のＳ１６０５が終了した時点では何も格納されていない（後述のステップＳ１８０５で格納される）。
【０１２７】
なお、本実施形態の帳票作成処理と転写防止設定処理は、第１実施形態と同様である。
【０１２８】
図２０Ａ，図２０Ｂ，図２０Ｃは、帳票作成処理，転写防止設定処理によりユーザが作成し転写防止設定した帳票データの一例を示す模式図である。
【０１２９】
図２０Ａ，図２０Ｂ，図２０Ｃに示すように、この帳票データはＡ４，Ａ３，Ａ３からなる３枚の用紙により構成されている。そして、この帳票データには、転写防止枠２１０１，２１０２，２１０３が設定されている。なお、以後、この帳票データを例にして実施形態を説明する。
【０１３０】
以下、図２１を参照して、本実施形態の印刷処理（転写防止枠が存在するページと存在しないページとを分別する印刷処理）について説明する。
【０１３１】
図２１は、本発明における第８の制御処理手順の一例を示すフローチャートであり、本発明の第２実施形態における図２のステップＳ２０４に示した印刷処理に対応する。なお、このフローチャートの処理は、図１に示したプログラム処理部１０１−２（ＣＰＵ１０１）が外部メモリ１１０に格納されたプログラムをＲＡＭ１０８上で実行することにより実現される。なお、図中、Ｓ１８０１〜Ｓ１８１０は各ステップを示す。
【０１３２】
まず、ステップＳ１８０１において、プログラム処理部１０１−２は、ＤＢ１１１の冊子情報（図１８），枠情報（図８）を取得し、１枚目の用紙を現在の用紙として認識する。
【０１３３】
ステップＳ１８０２では、プログラム処理部１０１−２は、現在の用紙が最終用紙かどうかを判定する。なお、この最終用紙かどうかの判定は、ステップＳ１８０１で取得した冊子情報内の用紙枚数に基づいて現在の用紙の次の用紙が存在するか否かによって行われる。
【０１３４】
そして、ステップＳ１８０２で、現在の用紙が最終用紙でないと判定した場合には、プログラム処理部１０１−２は、ステップＳ１８０３に処理を進める。
【０１３５】
次に、ステップＳ１８０３では、プログラム処理部１０１−２は、現在の用紙の次の用紙に転写防止枠が設定されているか否かを判定する。なお、この次の用紙に転写防止枠が設定されているかどうかの判定は、ステップＳ１８０１で取得した枠情報内の転写防止用紙Ｎｏに次の用紙の用紙Ｎｏが設定されているか否かによって行われる。
【０１３６】
そして、ステップＳ１８０３で、現在の用紙の次の用紙に転写防止枠が設定されていると判定した場合には、プログラム処理部１０１−２は、ステップＳ１８０４に処理を進める。
【０１３７】
ステップＳ１８０４では、プログラム処理部１０１−２は、現在の用紙を「両面」印刷設定として、ＤＢ１１１内の用紙情報内の印刷設定２００６（図１９）を追加更新する。
【０１３８】
次に、ステップＳ１８０５において、プログラム処理部１０１−２は、現在の用紙の次の用紙の裏面に白紙ページを挿入するように帳票データをＲＡＭ１０８上で編集する。
【０１３９】
次に、ステップＳ１８０６において、プログラム処理部１０１−２は、フォーマット印刷領域制御部１０１−３により、綴じ代の位置（用紙基準位置）を軸として、次の用紙に設定されている転写防止枠の領域（転写防止領域）と対称となる現在の用紙の裏面のエリア（領域）を算出し、該算出した領域を塗りつぶし領域（塗布エリア）としてＲＡＭ１０８上の帳票データに設定させる。そして、プログラム処理部１０１−２は、ステップＳ１８０８に処理を進める。
【０１４０】
図２２Ａ〜図２２Ｅは、図２１のステップＳ１８０６で設定された塗りつぶしエリアの一例を示す模式図である。なお、帳票データの例として図２０Ａ〜図２０Ｃに示したものを用いる。
【０１４１】
図２２Ａ〜図２２Ｅに示すように、ここでは、「２」枚目に転写防止枠（転写防止領域）２２０１，「３」枚目に転写防止枠（転写防止領域）２２０２，２２０３が指定されている。よって、用紙基準位置（綴じ代「右」）を軸として、転写防止領域２２０１と対称となる「１」枚目の裏面の領域２２０４を塗りつぶし領域に設定する。また、用紙基準位置（綴じ代「右」）を軸として、転写防止領域２２０２，２２０３と対称となる「２」枚目の裏面の領域２２０５，２２０６を、それぞれ塗りつぶし領域に設定する。
【０１４２】
以下、図２１のフローチャートの説明に戻る。
【０１４３】
一方、ステップＳ１８０３で、現在の用紙の次の用紙に転写防止枠が設定されていないと判定した場合には、プログラム処理部１０１−２は、ステップＳ１８０７に処理を進める。
【０１４４】
そして、ステップＳ１８０７では、プログラム処理部１０１−２は、現在の用紙を「片面」印刷設定として、ＤＢ１１１内の用紙情報内の印刷設定２００６（図１９）を追加更新し、ステップＳ１８０８に処理を進める。
【０１４５】
次に、ステップＳ１８０８では、プログラム処理部１０１−２は、次の用紙を現在の用紙として認識し、ステップＳ１８０２に処理を戻し、次の用紙の処理に移行する。
【０１４６】
また、ステップＳ１８０２で、プログラム処理部１０１−２が、現在の用紙が最終用紙であると判定した場合には、ステップＳ１８０９に処理を進める。
【０１４７】
ステップＳ１８０９では、プログラム処理部１０１−２は、現在の用紙を「片面」印刷設定として、ＤＢ１１１内の用紙情報内の印刷設定２００６（図１９）を追加更新し、ステップＳ１８１１に処理を進める。
【０１４８】
次に、ステップＳ１８１０では、プログラム処理部１０１−２は、印刷・用紙制御部１０１−５及び印刷装置制御部１０１−７を用いて、ＲＡＭ１０８上で編集された帳票データの印刷処理を、印刷装置２００で実行させる。なお、この際、印刷・用紙制御部１０１−５は、冊子情報テーブル内の情報に基づいて、綴じ代位置を制御し、また用紙情報テーブル内の情報に基づいて、用紙毎に印刷時の用紙サイズ，用紙の向き，片面印刷／両面印刷を制御する。これにより、図２２Ａ〜図２２Ｅに示したように、帳票の印刷が実行される。なお、図２２Ａ〜図２２Ｅでは、１枚目，２枚目の用紙には裏ページが生成されて両面印刷され、３枚目の用紙には裏ページが生成されず片面印刷されされている。
【０１４９】
なお、本実施形態では、裏面に塗りつぶし領域が設定されている用紙のみ両面印刷させるように構成したが、全ての用紙を両面印刷させるように構成してもよい。
【０１５０】
以上示したように、本実施形態によれば、複数枚のサイズ及び向きの異なるノーカーボン紙を重ね冊子として使用する場合であっても、冊子の２枚目以降の、ノーカーボン紙の表面の転写防止部分を減感インキまたは通常のインクなどで塗りつぶし、また１枚前のノーカーボン紙の裏面の対称箇所を減感インキまたは通常のインクなどで塗りつぶすことができ、ノーカーボン紙の表面に塗ってある顕色剤と裏面の付いているカプセル（発色剤）の化学反応を防ぐことができ、発色させなくすることが自動で可能になる。
【０１５１】
従って、ユーザ自身が転写防止部分を設定した複数枚のサイズ及び向きの異なるノーカーボン紙を用いた文書（帳票）を容易に作成することができる等の効果を奏する。
【０１５２】
なお、上記各実施形態の構成に加え、転写防止枠の領域及び該領域と対称となる前の用紙の裏面の領域に対する塗りつぶし色を指定可能に構成してもよい。なお、この構成の場合、塗りつぶし色の指定は、初期設定処理内、又は、転写防止設定処理内で１度、行うものとする。
【０１５３】
この塗りつぶし色は、全ての塗りつぶし領域で同一に指定するように構成してもよいし、それぞれ異なる色を指定可能に構成してもよい。なお、この構成の場合、各塗りつぶし色の指定は、転写防止枠設定処理内の各転写防止枠の指定時にそれぞれ行うものとする。
【０１５４】
また、転写防止枠の領域と、該領域と対称となる前の用紙の裏面の領域とで、異なる塗りつぶし色を指定可能に構成してもよい。
【０１５５】
従って、ユーザ自身が転写防止部分を好みの色で塗りつぶすように設定した複数枚のサイズ及び向きの異なるノーカーボン紙を用いた文書（帳票）を容易に作成することができる等の効果を奏する。
【０１５６】
なお、上述した各種データの構成及びその内容はこれに限定されるものではなく、用途や目的に応じて、様々な構成や内容で構成されることは言うまでもない。
【０１５７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１５８】
以下、図２３に示すメモリマップを参照して本発明に係る文書作成装置（コンピュータ）で読み取り可能なデータ処理プログラムの構成について説明する。
【０１５９】
図２３は、本発明に係る文書作成装置（コンピュータ）で読み取り可能な各種データ処理プログラムを格納する記録媒体（記憶媒体）のメモリマップを説明する図である。
【０１６０】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１６１】
さらに、各種プログラムに従属するデータも上記ディレクトリに管理されている。また、インストールするプログラムやデータが圧縮されている場合に、解凍するプログラム等も記憶される場合もある。
【０１６２】
本実施形態における図２，図３，図６，図９，図１１，図１４，図１６，図２１に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１６３】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１６４】
この場合、記録媒体から読み出されたプログラムコード自体が本発明の新規な機能を実現することになり、そのプログラムコードを記憶した記録媒体は本発明を構成することになる。
【０１６５】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１６６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６７】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１６９】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【０１７０】
なお、上述した各実施形態およびその変形例を組み合わせた構成も全て本発明に含まれるものである。
【図面の簡単な説明】
【０１７１】
【図１】本発明の一実施形態を示す文書作成装置の構成の一例を示すブロック図である。
【図２】本発明における第１の制御処理手順の一例を示すフローチャートである。
【図３】本発明における第２の制御処理手順の一例を示すフローチャートである。
【図４】本実施形態における初期設定画面の一例を示す模式図である。
【図５】図３のステップＳ３０３でＤＢ１１１に格納される冊子情報テーブルの一例を示す模式図である。
【図６】本発明における第３の制御処理手順の一例を示すフローチャートである。
【図７】図６のステップＳ４０２で作成される帳票データの一例を示す模式図である。
【図８】図６のステップＳ４０３でＤＢ１１１に格納される枠情報テーブルの一例を示す模式図である。
【図９】本発明における第４の制御処理手順の一例を示すフローチャートである。
【図１０】図９のステップＳ５０１における転写防止を希望する枠の指定の一例を示す模式図である。
【図１１】本発明における第５の制御処理手順の一例を示すフローチャートである。
【図１２】図１１のステップＳ６０４で設定された塗りつぶしエリアの一例を示す模式図である。
【図１３】転写防止枠を指定した用紙の前の用紙の裏面にあたる転写防止枠と対称となる領域の算出方法の一例を示す模式図である。
【図１４】本発明における第６の制御処理手順の一例を示すフローチャートである。
【図１５】本実施形態における初期設定画面の一例を示す模式図である。
【図１６】本発明における第７の制御処理手順の一例を示すフローチャートである。
【図１７】本実施形態における部分設定画面の一例を示す模式図である。
【図１８】図１４のステップＳ１６０５でＤＢ１１１に格納される冊子情報テーブルの一例を示す模式図である。
【図１９】図１４のステップＳ１６０５でＤＢ１１１に格納される冊子情報テーブルの一例を示す模式図である。
【図２０Ａ】帳票作成処理，転写防止設定処理によりユーザが作成し転写防止設定した帳票データの一例を示す模式図である。
【図２０Ｂ】帳票作成処理，転写防止設定処理によりユーザが作成し転写防止設定した帳票データの一例を示す模式図である。
【図２０Ｃ】帳票作成処理，転写防止設定処理によりユーザが作成し転写防止設定した帳票データの一例を示す模式図である。
【図２１】本発明における第８の制御処理手順の一例を示すフローチャートである。
【図２２Ａ】図２１のステップＳ１８０６で設定された塗りつぶしエリアの一例を示す模式図である。
【図２２Ｂ】図２１のステップＳ１８０６で設定された塗りつぶしエリアの一例を示す模式図である。
【図２２Ｃ】図２１のステップＳ１８０６で設定された塗りつぶしエリアの一例を示す模式図である。
【図２２Ｄ】図２１のステップＳ１８０６で設定された塗りつぶしエリアの一例を示す模式図である。
【図２２Ｅ】図２１のステップＳ１８０６で設定された塗りつぶしエリアの一例を示す模式図である。
【図２３】本発明に係る文書作成装置（コンピュータ）で読み取り可能な各種データ処理プログラムを格納する記録媒体（記憶媒体）のメモリマップを説明する図である。
【符号の説明】
【０１７２】
１００  文書作成装置
１０１  ＣＰＵ
１０１−１  入力制御部
１０１−２  プログラム処理部
１０１−３  フォーマット印刷領域制御部
１０１−４  転写防止領域制御部
１０１−５  印刷・用紙制御部
１０１−６  画面表示制御部
１０１−７  印刷装置制御部
１０８  ＲＡＭ
１０９  ＲＯＭ
１１０  外部メモリ
１１１  データベース（ＤＢ）
１１３  表示装置
１１４  入力装置
２００  印刷装置
【図１】
2008052388.tif 000003
【図２】
2008052388.tif 000004
【図３】
2008052388.tif 000005
【図４】
2008052388.tif 000006
【図５】
2008052388.tif 000007
【図６】
2008052388.tif 000008
【図７】
2008052388.tif 000009
【図８】
2008052388.tif 000010
【図９】
2008052388.tif 000011
【図１０】
2008052388.tif 000012
【図１１】
2008052388.tif 000013
【図１２】
2008052388.tif 000014
【図１３】
2008052388.tif 000015
【図１４】
2008052388.tif 000016
【図１５】
2008052388.tif 000017
【図１６】
2008052388.tif 000018
【図１７】
2008052388.tif 000019
【図１８】
2008052388.tif 000020
【図１９】
2008052388.tif 000021
【図２０Ａ】
2008052388.tif 000022
【図２０Ｂ】
2008052388.tif 000023
【図２０Ｃ】
2008052388.tif 000024
【図２１】
2008052388.tif 000025
【図２２Ａ】
2008052388.tif 000026
【図２２Ｂ】
2008052388.tif 000027
【図２２Ｃ】
2008052388.tif 000028
【図２２Ｄ】
2008052388.tif 000029
【図２２Ｅ】
2008052388.tif 000030
【図２３】
2008052388.tif 000031